(57)【要約】【課題】製品特性を確保しつつ構造の簡素化および製造の容易化を図る。【解決手段】防振装置は、振動発生部および振動受部のうちの一方に連結される筒状の第１取付け部材、および他方に連結される第２取付け部材と、これらの両取付け部材を連結する弾性体と、液体Ｌが封入される第１取付け部材内の液室を、第１液室１４および第２液室１５に仕切る仕切り部材１６と、を備え、第１液室１４および第２液室１５のうちの少なくとも１つは、弾性体を壁面の一部に有し、仕切り部材１６には、第１液室１４と第２液室１５とを連通する連通路３０と、連通路３０内に配置された障壁剛体３３と、が設けられている。【選択図】図３
2015209876.tif 000002
【特許請求の範囲】
【請求項１】
振動発生部および振動受部のうちの一方に連結される筒状の第１取付け部材、および他方に連結される第２取付け部材と、
これらの両取付け部材を連結する弾性体と、
液体が封入される前記第１取付け部材内の液室を、第１液室および第２液室に仕切る仕切り部材と、を備え、
前記第１液室および前記第２液室のうちの少なくとも１つは、前記弾性体を壁面の一部に有する防振装置であって、
前記仕切り部材には、前記第１液室と前記第２液室とを連通する連通路と、前記連通路内に配置された障壁剛体と、が設けられていることを特徴とする防振装置。
【請求項２】
請求項１記載の防振装置であって、
前記障壁剛体は、前記連通路の流路軸上に配置されていることを特徴とする防振装置。
【請求項３】
請求項１または２に記載の防振装置であって、
前記仕切り部材には、前記連通路から独立して設けられ、前記第１液室と前記第２液室とを連通する制限通路が設けられていることを特徴とする防振装置。
【発明の詳細な説明】
【技術分野】
【０００１】
本発明は、例えば自動車や産業機械等に適用され、エンジン等の振動発生部の振動を吸収および減衰する防振装置に関する。
【背景技術】
【０００２】
この種の防振装置として、例えば下記特許文献１記載の構成が知られている。この防振装置は、振動発生部および振動受部のうちの一方に連結される筒状の第１取付け部材、および他方に連結される第２取付け部材と、これらの両取付け部材を連結する弾性体と、液体が封入される第１取付け部材内の液室を、第１液室および第２液室に仕切る仕切り部材と、を備えている。この防振装置はさらに、両液室を互いに連通する第１の制限通路および第２の制限通路と、両液室の間に設けられたシリンダ室と、シリンダ室内に、開放位置と閉塞位置との間で移動可能に配設されたプランジャ部材と、を備えている。
この防振装置には、例えばアイドル振動やシェイク振動など、周波数が異なる複数種類の振動が入力される。そこでこの防振装置では、第１の制限通路および第２の制限通路それぞれの共振周波数が、異なる種類の振動それぞれの周波数に設定（チューニング）されている。そして、プランジャ部材が、入力された振動の周波数に応じて開放位置と閉塞位置との間で移動することで、液体が流通する制限通路を、第１の制限通路と第２の制限通路とで切り替えている。
【先行技術文献】
【特許文献】
【０００３】
【特許文献１】特開２００７−１２０５９８号公報
【発明の概要】
【発明が解決しようとする課題】
【０００４】
しかしながら、前記従来の防振装置には、構造の簡素化および製造の容易化について改善の余地がある。
また前記従来の防振装置では、例えば、制限通路の路長や断面積などにより決定される制限通路の共振周波数よりも周波数が高く振幅が極めて小さい微振動など、意図しない振動が入力されたときに、制限通路が目詰まりする等して動ばね定数が上昇し、例えば自動車の乗り心地性など防振装置の製品特性に影響が生じるおそれがある。
【０００５】
本発明は、前述した事情に鑑みてなされたものであって、製品特性を確保しつつ構造の簡素化および製造の容易化を図ることができる防振装置を提供することを目的とする。
【課題を解決するための手段】
【０００６】
前記課題を解決するために、本発明は以下の手段を提案している。
本発明に係る防振装置は、振動発生部および振動受部のうちの一方に連結される筒状の第１取付け部材、および他方に連結される第２取付け部材と、これらの両取付け部材を連結する弾性体と、液体が封入される前記第１取付け部材内の液室を、第１液室および第２液室に仕切る仕切り部材と、を備え、前記第１液室および前記第２液室のうちの少なくとも１つは、前記弾性体を壁面の一部に有する防振装置であって、前記仕切り部材には、前記第１液室と前記第２液室とを連通する連通路と、前記連通路内に配置された障壁剛体と、が設けられていることを特徴とする。
【０００７】
この発明では、振動が入力され、液体が第１液室と第２液室との間で連通路を通して流通するときに、この液体が障壁剛体に衝突する。このとき、液体の流速が高められていると、液体の障壁剛体への衝突によるエネルギー損失などを起因として、液体の圧力損失が高められて振動が吸収および減衰される。一方、液体の流速が低いと、前述のような衝突による液体の圧力損失が抑えられ、液体が連通路内を円滑に流通して動ばね定数の上昇が抑えられる。
この防振装置によれば、連通路内を流通する液体の流速に応じて液体の圧力損失を高めることで、振動を吸収および減衰することができる。これにより、例えばアイドル振動やシェイク振動などの通常の振動が入力されたときに、振動の周波数によらず振動を吸収および減衰することができる。したがって、互いに周波数が異なる複数種類の振動を吸収および減衰しつつ異音の発生を抑制し、構造の簡素化および製造の容易化を図ることができる。
また、流速が低く液体の圧力損失が抑制された状態下では、液体が連通路内を円滑に通過して動ばね定数の上昇が抑えられる。したがって、例えば、通常の振動よりも周波数が高く振幅が極めて小さい微振動などの意図しない振動が入力されたとき等、通常の振動が入力されたときよりも液体の流速が低いときには、動ばね定数の上昇を抑えることができる。その結果、この防振装置の製品特性を確保し易くすることができる。
【０００８】
前記障壁剛体は、前記連通路の流路軸上に配置されていてもよい。
【０００９】
この場合、障壁剛体が、連通路の流路軸上に配置されているので、連通路を流通する液体のうち、連通路内において比較的流速が高められたものを、障壁剛体に衝突させることができる。これにより、液体の圧力損失を大きく確保し易くすることが可能になり、振動を効果的に吸収および減衰させることができる。
【００１０】
前記仕切り部材には、前記連通路から独立して設けられ、前記第１液室と前記第２液室とを連通する制限通路が設けられていてもよい。
【００１１】
この場合、振動入力時に連通路を流通する液体の流速が高められ、この液体の圧力損失が高められると、連通路を通した液体の流通抵抗が高められる。その結果、液体が、第１液室と第２液室との間で制限通路を通して積極的に流通する。このとき、制限通路内で共振が生じることで、入力された振動が更に吸収および減衰される。
このように、例えば通常の振動が入力されたときに、液体の圧力損失だけでなく、制限通路内での共振によっても振動を吸収および減衰することができる。これにより、振動を効果的に吸収および減衰することができる。
【発明の効果】
【００１２】
本発明によれば、製品特性を確保しつつ構造の簡素化および製造の容易化を図ることができる。
【図面の簡単な説明】
【００１３】
【図１】本発明の第１実施形態に係る防振装置の縦断面図であって、仕切り部材を側面から示した図である。
【図２】図１に示す防振装置に備えられた仕切り部材の平面図である。
【図３】図２に示す仕切り部材の要部を示す縦断面図である。
【発明を実施するための形態】
【００１４】
以下、本発明に係る防振装置の一実施形態を、図１から図３を参照しながら説明する。
この防振装置１０は、図１に示すように、振動発生部および振動受部のうちのいずれか一方に連結される筒状の第１取付け部材１１、および他方に連結される第２取付け部材１２と、これらの両取付け部材１１、１２同士を互いに連結する弾性体１３と、液体Ｌが封入される第１取付け部材１１内の液室を、弾性体１３を壁面の一部に有する主液室（第１液室）１４、および副液室（第２液室）１５に仕切る仕切り部材１６と、を備えている。
【００１５】
図示の例では、第２取付け部材１２は柱状に形成されるとともに、弾性体１３は筒状に形成され、第１取付け部材１１、第２取付け部材１２および弾性体１３は、共通軸と同軸に配設されている。以下、この共通軸を軸線（第１取付け部材の軸線、仕切り部材の軸線）Ｏといい、軸線Ｏ方向（連通路の流路軸方向、仕切り部材の軸方向）に沿う主液室１４側を一方側といい、副液室１５側を他方側といい、軸線Ｏに直交する方向を径方向（第１取付け部材の径方向、仕切り部材の径方向）といい、軸線Ｏ回りに周回する方向を周方向（第１取付け部材の周方向、仕切り部材の周方向）という。
【００１６】
なお、この防振装置１０が例えば自動車に装着される場合には、第２取付け部材１２が振動発生部としてのエンジンに連結される一方、第１取付け部材１１が図示しないブラケットを介して振動受部としての車体に連結され、エンジンの振動が車体に伝達するのを抑える。この防振装置１０は、第１取付け部材１１の前記液室に、例えばエチレングリコール、水、シリコーンオイル等の液体Ｌが封入された液体封入型である。
【００１７】
第１取付け部材１１は、軸線Ｏ方向に沿って、一方側に位置する一方側外筒体２１と、他方側に位置する他方側外筒体２２と、を備えている。
一方側外筒体２１における一方側の端部には、前記弾性体１３が液密状態で連結されていて、この弾性体１３により一方側外筒体２１の一方側の開口部が閉塞されている。一方側外筒体２１のうち、他方側の端部２１ａは、他の部分より大径に形成されている。そして、一方側外筒体２１の内部が前記主液室１４となっている。主液室１４の液圧は、振動の入力時に、弾性体１３が変形してこの主液室１４の内容積が変化することで変動する。なお一方側外筒体２１において、弾性体１３が連結された部分に対して他方側から連なる部分には、全周にわたって連続して延びる環状溝２１ｂが形成されている。
【００１８】
他方側外筒体２２における他方側の端部には、ダイヤフラム１７が液密状態で連結されていて、このダイヤフラム１７により他方側外筒体２２における他方側の開口部が閉塞されている。他方側外筒体２２のうち、一方側の端部２２ａは、他の部分より大径に形成されていて、前記一方側外筒体２１における他方側の端部２１ａ内に嵌合されている。また他方側外筒体２２内には、仕切り部材１６が嵌合されていて、他方側外筒体２２の内部のうち、仕切り部材１６とダイヤフラム１７との間に位置する部分が、前記副液室１５となっている。副液室１５は、ダイヤフラム１７を壁面の一部としており、ダイヤフラム１７が変形することにより拡縮する。なお他方側外筒体２２は、ダイヤフラム１７と一体に形成されたゴム膜によって、ほぼ全域にわたって被覆されている。
【００１９】
第２取付け部材１２における一方側の端面には、軸線Ｏと同軸に雌ねじ部１２ａが形成されている。第２取付け部材１２は、第１取付け部材１１から一方側に突出している。第２取付け部材１２には、径方向の外側に向けて突出し、かつ全周にわたって連続して延びるフランジ部１２ｂが形成されている。フランジ部１２ｂは、第１取付け部材１１における一方側の端縁から一方側に離れている。
【００２０】
弾性体１３は、弾性変形可能な例えばゴム材料等で形成され、一方側から他方側に向かうに従い漸次拡径された筒状に形成されている。弾性体１３のうち、一方側の端部が、第２取付け部材１２に連結され、他方側の端部が、第１取付け部材１１に連結されている。なお、第１取付け部材１１の一方側外筒体２１の内周面は、弾性体１３と一体に形成されたゴム膜により、ほぼ全域にわたって覆われている。
【００２１】
仕切り部材１６は、軸線Ｏと同軸に配置された円盤状に形成され、第１取付け部材１１内に嵌合されている。仕切り部材１６には、径方向の外側に向けて突出するフランジ部１６ａが設けられている。フランジ部１６ａは、仕切り部材１６における一方側の端部に設けられている。フランジ部１６ａは、他方側外筒体２２の一方側の端部２２ａ内に配置されている。
【００２２】
仕切り部材１６には、主液室１４と副液室１５とを連通する連通路３０が設けられている。
連通路３０は、仕切り部材１６に、周方向に複数設けられ、仕切り部材１６を軸線Ｏ方向に貫通している。連通路３０は、仕切り部材１６に、周方向の全周にわたって間欠的に複数配置され、これらの複数の連通路３０は、軸線Ｏを中心とする同一円周上に配置されて環状の通路列３１を構成している。仕切り部材１６上には、通路列３１が多重に設けられていて、つまり複数の通路列３１が、互いの直径を異ならせて設けられている。
【００２３】
図３に示すように、連通路３０は、軸線Ｏ方向に延び、仕切り部材１６における軸線Ｏ方向の両端面に各別に開口している。連通路３０は、軸線Ｏ方向の全長にわたって同径に形成されている。連通路３０は、この仕切り部材１６の軸線Ｏ方向に沿う縦断面視において、軸線Ｏ方向に沿って直線状に延び、この仕切り部材１６を軸線Ｏ方向から見た平面視において、円形状に形成されている。連通路３０は、軸線Ｏ方向に延びる円柱状に形成されている。
【００２４】
ここで連通路３０内には、障壁剛体３３が設けられている。障壁剛体３３は、複数の連通路３０内に各別に設けられている。障壁剛体３３は、例えば樹脂材料などにより、液体Ｌの流れに受けたときに変形しない程度の剛性を具備する剛性体として、仕切り部材１６と一体に形成されている。
また本実施形態では、障壁剛体３３は、主液室１４と副液室１５との間を、連通路３０を通して流通する液体Ｌの流れを分岐させる。障壁剛体３３は、連通路３０内を流通する液体Ｌを、この障壁剛体３３の表面に沿って流動させることで、この液体Ｌの流れを曲げさせる。
【００２５】
障壁剛体３３は、連通路３０の流路軸Ｍ上に、連通路３０の内周面から離間した状態で配置されている。障壁剛体３３は、流路軸Ｍと同軸に配置された円柱状に形成されている。障壁剛体３３は、軸線Ｏ方向に対称に形成されている。障壁剛体３３の端面３４は、軸線Ｏ方向の外側に向けて凸となる錘面、図示の例では円錐面とされている。障壁剛体３３は、液体Ｌを、この障壁剛体３３の端面３４上で、連通路３０の径方向である流路径方向の外側に向けて流動させることで、この液体Ｌの流れを分岐させる。
【００２６】
そして本実施形態では、障壁剛体３３には、返し部７０が設けられている。返し部７０は、障壁剛体３３により分岐させられた液体Ｌの流れの少なくとも一部を、連通路３０内において、この連通路３０の内周面に沿って流通する他の液体Ｌの流れに合流させる。返し部７０は、障壁剛体３３上を流路径方向の外側に向かう液体Ｌの流れの向きを、軸線Ｏ方向に反転させて他の液体Ｌの流れに合流させる。
【００２７】
返し部７０は、障壁剛体３３の端面３４における外周縁部に設けられていて、この外周縁部が、流路径方向の内側から外側に向けて漸次、軸線Ｏ方向の外側に向けて張り出してなる。返し部７０は、この障壁剛体３３の軸線Ｏ方向および流路径方向に沿う縦断面視において、軸線Ｏ方向の内側に向けて凹となる凹曲面状に形成されている。返し部７０は、流路軸Ｍ回りの全周にわたって設けられている。
【００２８】
図２および図３に示すように、障壁剛体３３は、ブリッジ部３７を介して仕切り部材１６に連結されている。ブリッジ部３７は、障壁剛体３３の外周面における軸線Ｏ方向の中央部と、連通路３０の内周面における軸線Ｏ方向の中央部と、を連結している。ブリッジ部３７は、流路径方向に延びる棒状に形成され、流路軸Ｍを流路径方向に挟んで一対配置されている。連通路３０のうち、一対のブリッジ部３７により流路軸Ｍ回りに挟まれた部分には、軸線Ｏ方向の両側に向けて開口し、液体Ｌが軸線Ｏ方向に通過する通過隙間３８が設けられている。通過隙間３８は、障壁剛体３３の外周面と連通路３０の内周面との間に、障壁剛体３３を間に挟むように一対設けられている。通過隙間３８は、前記平面視において障壁剛体３３を流路径方向に挟んでいる。
なお図２に示すように、同一の前記通路列３１を構成する複数の連通路３０において、各連通路３０内に配置されたブリッジ部３７が、各連通路３０を通過する円周に沿って延在している。
【００２９】
ここで本実施形態では、仕切り部材１６には、制限通路４１が更に設けられている。制限通路４１は、仕切り部材１６に連通路３０から独立して設けられている。制限通路４１の流路断面積は、この制限通路４１の流路軸方向の全長にわたって同等となっている。制限通路４１の共振周波数は、この防振装置１０に通常、入力される振動の周波数と同等となっていて、制限通路４１は、このような通常の振動（第１振動）の入力に対して共振（液柱共振）を生じさせる。通常の振動としては、例えば、シェイク振動（例えば、周波数が１４Ｈｚ以下、振幅が±０．５ｍｍより大きい）や、シェイク振動よりも周波数が高くかつ振幅が小さいアイドル振動（例えば、周波数が１８Ｈｚ〜３０Ｈｚ、振幅が±０．５ｍｍ以下）等が挙げられる。
【００３０】
制限通路４１の共振周波数は、連通路３０の共振周波数よりも低くなっている。連通路３０の共振周波数は、例えば、前述の通常の振動よりも周波数が高く振幅が極めて小さい微振動などの意図しない振動（第２振動）の周波数と同等となっている。連通路３０および制限通路４１の各共振周波数は、例えばそれぞれの流路長や流路断面積などに基づいて決定される。
【００３１】
なお連通路３０は、この防振装置１０に通常の振動が入力された直後に、液体Ｌが制限通路４１よりも優先的に流通し易くなっている。このような構成は、例えば、制限通路４１および連通路３０それぞれの流路長や流路断面積などを調整することで実現することができる。
【００３２】
次に、前記防振装置１０の作用について説明する。
【００３３】
図１に示すような防振装置１０に、振動発生部から軸線Ｏ方向の振動が入力されると、両取付け部材１１、１２が弾性体１３を弾性変形させながら相対的に変位して主液室１４の液圧が変動する。すると液体Ｌが、連通路３０を通して主液室１４と副液室１５との間を往来しようとする。このとき本実施形態では、液体Ｌが、制限通路４１よりも連通路３０を通して優先的に往来しようとする。主液室１４内の液体Ｌが、連通路３０を通して副液室１５側に向けて流動しようとすると、この液体Ｌはまず、図３に示すように、連通路３０における一方側の端部からこの連通路３０内に流入し、障壁剛体３３に衝突する。
【００３４】
ここでこの防振装置１０には通常、例えばアイドル振動やシェイク振動などの振動が入力される。これらの振動のうち、アイドル振動は、比較的振幅が小さいものの周波数が高く、シェイク振動は、周波数が低いものの振幅が大きい。したがって、このような通常の振動が入力されたときには、連通路３０内に流入する液体Ｌの流速が一定以上に高められる。
【００３５】
このように液体Ｌの流速が高められていると、液体Ｌの障壁剛体３３への衝突によるエネルギー損失などを起因として、液体Ｌの圧力損失が高められ、振動が吸収および減衰される。なお本実施形態では、障壁剛体３３が、連通路３０の流路軸Ｍ上に配置されているので、連通路３０を流通する液体Ｌのうち、連通路３０内において流路径方向の内側を流通し比較的流速が高められたものが、障壁剛体３３に衝突する。
【００３６】
液体Ｌが障壁剛体３３に衝突した後、障壁剛体３３は、連通路３０内を流通する液体Ｌの流れを、流路径方向の外側に向けて分岐させる。このとき、連通路３０を流通する液体Ｌのうち、連通路３０内において流路径方向の外側を流通するものは、連通路３０の内周面に沿って通過隙間３８に向けて流動する。したがって、連通路３０内において流路径方向の内側を流通するものが、障壁剛体３３の端面３４上を流路径方向の外側に向けて流動し、この液体Ｌの流れの向きが、返し部７０により、軸線Ｏ方向に反転させられると、前述の通過隙間３８に向けて流通する他の液体Ｌの流れに合流させられる。その結果、流れを合流させられる液体Ｌ同士が衝突することによるエネルギー損失などを起因として、液体Ｌの圧力損失がさらに高められる。
【００３７】
また副液室１５内の液体Ｌが、連通路３０を通して主液室１４側に向けて流動しようとすると、この液体Ｌはまず、連通路３０における他方側の端部からこの連通路３０内に流入し、障壁剛体３３に衝突する。このとき、液体Ｌの流速が高められていることで、液体Ｌと障壁剛体３３との衝突によるエネルギー損失などを起因として、液体Ｌの圧力損失が高められ、振動が吸収および減衰される。
液体Ｌが障壁剛体３３に衝突した後、障壁剛体３３は、連通路３０内を流通する液体Ｌのうち、連通路３０内において流路径方向の内側を流通するもの流れを反転させ、連通路３０を流通する液体Ｌのうち、連通路３０内において流路径方向の外側を流通するものに衝突させる。その結果、液体Ｌ同士が衝突することによるエネルギー損失などを起因として、液体Ｌの圧力損失がさらに高められる。
【００３８】
ここで、以上のように液体Ｌの圧力損失が高められると、連通路３０を通した液体Ｌの流通抵抗が高められる。その結果、液体Ｌが、主液室１４と副液室１５との間で制限通路４１を通して積極的に流通する。このとき、制限通路４１内で共振が生じることで、入力された振動が更に吸収および減衰される。
【００３９】
ところでこの防振装置１０には、例えば想定よりも周波数が高く振幅が極めて小さい微振動などが意図せず入力されることがある。微振動が入力されたときには、連通路３０内に流入する液体Ｌの流速が低いことから、液体Ｌを障壁剛体３３に衝突させたり、液体Ｌ同士を衝突させたりしても液体Ｌの圧力損失が抑えられる。これにより、液体Ｌが連通路３０内を通過して主液室１４と副液室１５との間を円滑に流通することから、動ばね定数の上昇が抑えられる。
【００４０】
以上説明したように、本実施形態に係る防振装置１０によれば、連通路３０内を流通する液体Ｌの流速に応じて液体Ｌの圧力損失を高めることで、振動を吸収および減衰することができる。これにより、例えばアイドル振動やシェイク振動などの通常の振動が入力されたときに、振動の周波数によらず振動を吸収および減衰することができる。したがって、互いに周波数が異なる複数種類の振動を吸収および減衰しつつ異音の発生を抑制し、構造の簡素化および製造の容易化を図ることができる。
しかも、例えば通常の振動が入力されたときに、液体Ｌの圧力損失だけでなく、制限通路４１内での共振によっても振動を吸収および減衰することができる。これにより、振動を効果的に吸収および減衰することができる。
【００４１】
また、流速が低く液体Ｌの圧力損失が抑制された状態下では、液体Ｌが連通路３０内を円滑に通過して動ばね定数の上昇が抑えられる。したがって、例えば、通常の振動よりも周波数が高く振幅が極めて小さい微振動などの意図しない振動が入力されたとき等、通常の振動が入力されたときよりも液体Ｌの流速が低いときには、動ばね定数の上昇を抑えることができる。その結果、この防振装置１０の製品特性を確保し易くすることができる。
【００４２】
また障壁剛体３３が、連通路３０の流路軸Ｍ上に配置されているので、連通路３０を流通する液体Ｌのうち、連通路３０内において比較的流速が高められたものを、障壁剛体３３に衝突させることができる。これにより、液体Ｌの圧力損失を大きく確保し易くすることが可能になり、振動を効果的に吸収および減衰させることができる。
【００４３】
さらに障壁剛体３３が、連通路３０の流路軸Ｍ上に配置されているので、連通路３０内を流通する液体Ｌを、障壁剛体３３上で流動させることで、この液体Ｌの流れを流路径方向の外側に向けて分岐させることが可能になり、液体Ｌの流れを確実に分岐させることができる。
【００４４】
また、返し部７０が備えられているので、障壁剛体３３により分岐させられた液体Ｌを互いに衝突させて、この液体Ｌのうちの多くの部分をエネルギー損失に寄与させることが可能になり、液体Ｌの圧力損失を効果的に高めることができる。
さらに返し部７０が、障壁剛体３３に設けられているので、例えばこの防振装置の構造の簡素化を図ること等ができる。
【００４５】
また返し部７０が、障壁剛体３３上を流動する液体Ｌの流れを、連通路３０内を流通する液体Ｌのうち、連通路３０の内周面に沿って通過隙間３８に向けて流通する他の液体Ｌの流れに合流させる。したがって、連通路３０内において流路軸Ｍに沿って流通する流速が比較的高い液体Ｌを障壁剛体３３により分岐させ、連通路３０内において連通路３０の内周面に沿って流通する流速が比較的低い他の液体Ｌに衝突させることが可能になり、液体Ｌの圧力損失を効果的に高めることができる。
【００４６】
また連通路３０が、仕切り部材１６に周方向に複数設けられ、仕切り部材１６を軸線Ｏ方向に貫通しているので、連通路３０の流路面積を確保し易くすることができる。したがって、この防振装置１０に振動が入力されて連通路３０内の液体Ｌの流速が高められたときに、連通路３０内で多量の液体Ｌを衝突させて液体Ｌの圧力損失を大きく高め易くすることが可能になり、振動を効果的に吸収および減衰することができる。
【００４７】
さらに、連通路３０が複数設けられているので、連通路３０が１つのみ設けられている場合に比べて、連通路３０を同等の形状に保持しつつ縮小させても、複数の連通路３０の断面積の総和を、連通路３０が１つのみ設けられている場合における連通路３０の断面積と同等に維持することができる。その結果、複数の連通路３０の体積の総和を、連通路３０が１つのみ設けられている場合における連通路３０の体積よりも小さくすることができる。したがって、連通路３０が１つのみ設けられている場合に比べて、液体Ｌの圧力損失を効果的に得るために必要な液体Ｌの流量を少なくすることができる。なおこの作用効果は、特に連通路３０が４つ以上の場合に顕著に奏功される。
【００４８】
なお、本発明の技術的範囲は前記実施形態に限定されるものではなく、本発明の趣旨を逸脱しない範囲において種々の変更を加えることが可能である。
【００４９】
本発明では、連通路３０は、複数でなく１つでもよい。
さらに前記実施形態では、主液室１４と副液室１５とが、連通路３０に加え、連通路３０と異なる制限通路４１を通して連通されているが、本発明はこれに限られない。例えば、制限通路がなく、主液室と副液室とが連通路を通してのみ連通されていてもよい。
【００５０】
また返し部７０はなくてもよい。
【００５１】
また前記実施形態において、制限通路４１内や連通路３０内が、例えば弾性薄膜など、液体Ｌの液圧により弾性変形させられる膜体により閉塞されていてもよい。この場合であっても、膜体を挟んで両側に位置する液体Ｌの液圧が膜体を介して伝達されることで、制限通路４１内や連通路３０内を液体Ｌが流通する。
【００５２】
また前記実施形態では、仕切り部材１６が、第１取付け部材１１内の液室を、弾性体１３を壁面の一部に有する主液室１４、および副液室１５に仕切るものとしたが、これに限られるものではない。例えば、前記ダイヤフラムを設けるのに代えて、弾性体を軸線方向に一対設けて、副液室を設けるのに代えて、弾性体を壁面の一部に有する受圧液室を設けてもよい。つまり仕切り部材が、液体が封入される第１取付け部材内の液室を、第１液室および第２液室に仕切り、第１液室および第２液室の両液室のうちの少なくとも１つが、弾性体を壁面の一部に有する他の構成に適宜変更してもよい。
【００５３】
また前記実施形態では、エンジンを第２取付け部材１２に接続し、第１取付け部材１１を車体に接続する場合の説明をしたが、逆に接続するように構成してもよい。
【００５４】
さらに、本発明に係る防振装置１０は、車両のエンジンマウントに限定されるものではなく、エンジンマウント以外に適用することも可能である。例えば、建設機械に搭載された発電機のマウントにも適用することも可能であり、或いは、工場等に設置される機械のマウントにも適用することも可能である。
【００５５】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５６】
１０  防振装置
１１  第１取付け部材
１２  第２取付け部材
１３  弾性体
１４  主液室（第１液室）
１５  副液室（第２液室）
１６  仕切り部材
３０  連通路
３３  障壁剛体
４１  制限通路
Ｌ  液体
【図１】
2015209876.tif 000003
【図２】
2015209876.tif 000004
【図３】
2015209876.tif 000005